(57)【要約】【課題】  画像全体について細部を確認することが容易な画像再生装置を提供する。【解決手段】  画像を入力する入力手段と、画面を有する表示部と、前記入力された画像の互いに異なる複数の一部領域を、前記入力された画像の全体領域を巡回する所定の順序で前記画面の画像表示領域の全体に表示する表示制御手段と、を備える。【選択図】    図１
2005269362.tif 000002
【特許請求の範囲】
【請求項１】
画像を入力する入力手段と、
画面を有する表示部と、
前記入力された画像の互いに異なる複数の一部領域を、前記入力された画像の全体領域を巡回する所定の順序で前記画面の画像表示領域の全体に表示する表示制御手段と、
を備えることを特徴とする画像再生装置。
【請求項２】
前記一部領域のサイズは、前記画像表示領域のサイズと等しいことを特徴とする請求項１に記載の画像再生装置。
【請求項３】
前記表示制御手段は、前記複数の一部領域が互いに重なり合う部分が最小になるように前記複数の一部領域を設定することを特徴とする請求項１又は２に記載の画像再生装置。
【請求項４】
前記画像表示領域に前記一部領域の画像が表示されているときにスキップ要求を受け付ける第一操作手段をさらに備え、
前記表示制御手段は、前記スキップ要求が受け付けられると前記所定の順序に適合しない前記一部領域の画像を前記画像表示領域に表示することを特徴とする請求項１、２又は３に記載の画像再生装置。
【請求項５】
前記表示制御手段は、前記スキップ要求が受け付けられると入力された画像の重点領域を含む前記一部領域の画像を前記画像表示領域に表示することを特徴とする請求項４に記載の画像再生装置。
【請求項６】
前記画像表示領域に前記一部領域の画像が表示されているときに拡大要求を受け付ける第二操作手段をさらに備え、
前記表示制御手段は、前記拡大要求を受け付けると、前記画像表示領域に表示されている画像を拡大し、拡大した画像を前記画像表示領域に表示することを特徴とする請求項１から５のいずれか一項に記載の画像再生装置。
【請求項７】
前記表示制御手段は、前記画像表示領域に表示されている前記一部領域について画像の全体領域に対する相対的位置を前記画面に表示することを特徴とする請求項１から６のいずれか一項に記載の画像再生装置。
【請求項８】
前記表示制御手段は、前記画像表示領域に表示されている前記一部領域の次の前記一部領域について、前記表示部に表示されている前記一部領域に対する相対位置を前記画面に表示することを特徴とする請求項１から７のいずれか一項に記載の画像再生装置。
【請求項９】
前記表示制御手段は、前記入力された複数の画像のいずれかを順次選択し、前記選択された画像について前記複数の一部領域を前記画像表示領域に表示する前と後とに、前記選択された画像全体を前記画像表示領域に表示することを特徴とする請求項１から８のいずれか一項に記載の画像再生装置。
【請求項１０】
前記画像表示領域に前記一部領域の画像が表示されているときにクリップ要求を受け付ける第三操作手段と、
前記クリップ要求を受け付けると前記画像表示領域に表示されている前記一部領域を含む画像をクリップして出力するクリップ手段と、
をさらに備えることを特徴とする請求項１から８のいずれか一項に記載の画像再生装置。
【請求項１１】
画像を入力する入力ステップと、
前記入力された画像上の互いに異なる複数の一部領域を、前記入力された画像の全体領域を巡回する所定の順序で画面の画像表示領域の全体に表示する表示ステップと、
を備えることを特徴とする画像再生方法。
【発明の詳細な説明】
【技術分野】
【０００１】
本発明は画像再生装置に関する。
【背景技術】
【０００２】
撮像装置の一つであるディジタルスチルカメラ（ＤＳＣ）で撮影した画像は、カード型フラッシュメモリ等の不揮発性メモリに記憶される。ＤＳＣに備えられている表示装置の画面サイズは小さいため（例えば、２インチ程度）、ＤＳＣの表示装置に画面表示された全体画像により不揮発性メモリに記憶された画像の細部を確認するのは困難である。
特許文献１には、連続撮影等によって記録される画像の予め決められた一部を拡大表示するＤＳＣが開示されている。しかし、特許文献１に記載されたＤＳＣによると、画像全体について細部を確認するためには、画像全体が網羅されるように拡大対象領域を繰り返し設定しなければならない。
【０００３】
【特許文献１】特開２００３−２８３８８８号公報
【発明の開示】
【発明が解決しようとする課題】
【０００４】
本発明は、このような問題を解決するために創作されたものであって、画像全体について細部を確認することが容易な画像再生装置を提供することを目的とする。
【課題を解決するための手段】
【０００５】
上記目的を達成するため、本発明に係る画像再生装置は、画像を入力する入力手段と、画面を有する表示部と、前記入力された画像の互いに異なる複数の一部領域を、前記入力された画像の全体領域を巡回する所定の順序で前記画面の画像表示領域の全体に表示する表示制御手段とを備える。画像の一部領域を画面の画像表示領域の全体に表示することにより、画像の細部を確認することができる。また、画像の全体領域を巡回する所定の順序で表示対象の一部領域を自動設定することにより、画像全体について細部を確認することが容易になる。
【０００６】
さらに本発明に係る画像再生装置では、前記一部領域のサイズは、前記画像表示領域のサイズと等しい。表示対象の一部領域のサイズを画像表示領域のサイズと等しくすることにより、入力された画像を拡大縮小することなく正確に確認することができる。
さらに本発明に係る画像再生装置では、前記表示制御手段は、前記複数の一部領域が互いに重なり合う部分が最小になるように前記複数の一部領域を設定する。重複して表示される領域を最小化することにより、画像全体を表示するために必要な時間を短縮することができる。
【０００７】
さらに本発明に係る画像再生装置は、前記画像表示領域に前記一部領域の画像が表示されているときにスキップ要求を受け付ける第一操作手段をさらに備え、前記表示制御手段は、前記スキップ要求が受け付けられると前記所定の順序に適合しない前記一部領域の画像を前記画像表示領域に表示する。要求に応じて所定の順序に適合しない一部領域の画像の表示を可能とすることにより、すばやく所望の一部領域の画像を画面に表示することができる。
【０００８】
さらに本発明に係る画像再生装置では、前記表示制御手段は、前記スキップ要求が受け付けられると入力された画像の重点領域を含む前記一部領域の画像を前記画像表示領域に表示する。要求に応じて重点領域を含む一部領域の画像の表示を可能とすることにより、撮影された画像において最も確認したい重点領域の画像をすばやく画面に表示することができる。
【０００９】
さらに本発明に係る画像再生装置は、前記画像表示領域に前記一部領域の画像が表示されているときに拡大要求を受け付ける第二操作手段をさらに備え、前記表示制御手段は、前記拡大要求を受け付けると、前記画像表示領域に表示されている画像を拡大し、拡大した画像を前記画像表示領域に表示する。要求に応じて一部領域の画像を拡大して表示することにより、ユーザは画像の細部を詳細に確認できる。
【００１０】
さらに本発明に係る画像再生装置は、前記表示制御手段が、前記画像表示領域に表示されている前記一部領域について画像の全体領域に対する相対的位置を前記画面に表示する。表示されている一部領域の全体領域に対する相対位置を表示することにより、表示中の一部領域の画像の全体領域に対する相対位置を容易に認識することができる。
【００１１】
さらに本発明に係る画像再生装置では、前記表示制御手段は、前記画像表示領域に表示されている前記一部領域の次の前記一部領域について、前記表示部に表示されている前記一部領域に対する相対位置を前記画面に表示する。表示されている一部領域の次の一部領域について、表示されている一部領域に対する相対位置を表示することにより、連続して表示される一部領域の位置関係をユーザは容易に認識できる。
【００１２】
さらに本発明に係る画像再生装置では、前記表示制御手段は、前記入力された複数の画像のいずれかを順次選択し、前記選択された画像について前記複数の一部領域を前記画像表示領域に表示する前と後とに、前記選択された画像全体を前記画像表示領域に表示する。入力された複数の画像のいずれかを順次選択し、選択された画像について一部領域を表示する前と後とに、選択された画像全体を表示することにより、ユーザは複数の画像のそれぞれについて画像全体と細部の確認を容易に行うことができる。
【００１３】
さらに本発明に係る画像再生装置は、前記画像表示領域に前記一部領域の画像が表示されているときにクリップ要求を受け付ける第三操作手段と、前記クリップ要求を受け付けると前記画像表示領域に表示されている前記一部領域の画像を出力するクリップ手段とをさらに備える。一部領域の画像が表示されているときにクリップ要求を受け付けると表示されている一部領域を含む画像をクリップして出力するクリップ手段を備えることにより、ユーザ画像のクリップを容易に行うことができる。
【００１４】
上記目的を達成するため、本発明に係る画像再生方法は、画像を入力する入力ステップと、前記入力された画像上の互いに異なる複数の一部領域を、前記入力された画像の全体領域を巡回する所定の順序で画面の画像表示領域の全体に表示する表示ステップとを備える。画像の一部領域を画面の画像表示領域の全体に表示することにより、画像の細部を確認することができる。また、画像の全体領域を巡回する所定の順序で表示対象の一部領域を自動設定することにより、画像全体について細部を確認することが容易になる。
【００１５】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても特定することができる。
【発明を実施するための最良の形態】
【００１６】
以下、本発明を実施するための最良の形態を実施例に基づいて説明する。
（第一実施例）
図２は、本発明の第一実施例に係る画像再生装置１のハードウェア構成を示すブロック図である。画像再生装置１は、ＣＰＵ１１と、フラッシュメモリ１２と、ＲＡＭ１３と、ハードディスク装置（ＨＤＤ）１４と、表示部１５と、操作部１６と、リムーバブルメモリコントローラ１８を備え、それらはバス２０で相互に接続されている。
【００１７】
ＣＰＵ１１はフラッシュメモリ１２に記憶されているプログラムをＲＡＭ１３にロードして実行し、画像再生装置１の全体を制御する。フラッシュメモリ１２は、ＣＰＵ１１が動作するために必要なプログラムやデータを予め記憶しておくメモリである。ＲＡＭ１３は各種のプログラム、データなどを一時的に記憶するメモリである。これらのプログラムや各種のデータは、所定のサーバからネットワークを介してダウンロードして入力してもよいし、リムーバブルメモリ１９等のコンピュータ読み取り可能な記憶媒体から読み出して入力してもよい。
【００１８】
ＨＤＤ１４はハードディスクやハードディスクコントローラ等を備え、オペレーティングシステム（ＯＳ）、画像再生プログラム、画像ファイル、各種のデータなどを記憶する。
表示部１５は、ＬＣＤ（Liquid Crystal Display）２１（図３参照）と、ＬＣＤ２１を制御するディスプレイコントローラなどを備える。表示部１５はＣＰＵ１１によって制御され、リムーバブルメモリ１９から入力された画像等を表示する。
【００１９】
操作部１６は、ユーザが表示部１５に表示される各種メニューの選択を行うための各種のボタンを備える。
リムーバブルメモリコントローラ１８は、ＣＰＵ１１により制御され、カードスロットに装着されるリムーバブルメモリ１９からの画像ファイルの読み出しや、リムーバブルメモリ１９への画像ファイルの書き込みを行う。リムーバブルメモリコントローラ１８は請求項に記載の入力手段に相当する。
【００２０】
リムーバブルメモリ１９は、図示しないカードスロットに着脱自在の外部記憶媒体であって、具体的に例えばディジタルスチルカメラ（ＤＳＣ）に着脱自在のカード型フラッシュメモリである。尚、画像ファイルの読み出し及び書き込みは、カードスロットに装着されたリムーバブルメモリのみに限らず、ＵＳＢ等のインターフェース手段により接続されたＣＤドライブや、ＤＳＣ、パーソナルコンピュータ（ＰＣ）に内蔵されるＨＤＤ等とＣＰＵ１１との間で行ってもよい。
【００２１】
図３は、画像再生装置１の外形を示す模式図である。画像再生装置１は、ＬＣＤ２１と、操作部１６と、ＵＳＢ等のインタフェースコネクタ２７と、図示しないカードスロット等、を備える。インタフェースコネクタ２７は、ＰＣやＣＤドライブ、またはプリンタ等を接続することができ、請求項に記載の入力手段としても機能する。操作部１６は、印刷ボタン２２と、メニューボタン２３と、十字キー２４と、ＯＫボタン２５と、ＣＡＮＣＥＬボタン２６等により構成される。印刷ボタン２２が押下されると、表示部１５に各種印刷に関するメニューが表示され、ユーザは十字キー２４やＯＫボタン２５を操作することにより印刷に関する各種の設定、及び印刷を行うことができる。メニューボタン２３が押下されると、各種メニューが表示部１５に表示され、ユーザの画像再生装置１への各種の操作が可能になる。また、メニューボタン２３は後述する画像のクリップ操作にも用いられ、請求項に記載の第三操作手段として機能する。十字キー２４は、各種メニューが表示されているときは、各項目の選択を受け付ける。また、十字キー２４は、後述する画像のスキップ操作にも用いられ、請求項記載の第一操作手段として機能する。ＯＫボタン２５は、各種設定項目の決定操作を受け付け、また、後述する画像の拡大操作にも用いられ、請求項記載の第二操作手段として機能する。
【００２２】
図４は、本発明の第一実施例に係る画像再生プログラムの論理的な構成を示すブロック図である。画像再生プログラムは、ＯＳ３０と、スライドショー制御部３１と、自動巡回スクロール部３２と、クリップ部３３と、拡大部３４等により構成される。ＯＳ３０は、操作部１６が受け付ける各種の要求信号を受け取り、スライドショー制御部３１と、自動巡回スクロール部３２と、クリップ部３３と、拡大部３４等の各種プログラムを起動し制御して、これらのプログラムから出力される画像等を表示部１５に表示する。ＯＳ３０は、請求項に記載の入力手段、表示制御手段、第一操作手段、第二操作手段、第三操作手段、クリップ手段として機能する。また、スライドショー制御部３１と、自動巡回スクロール部３２と、拡大部３４は表示制御手段として機能し、クリップ部３３はクリップ手段として機能する。
【００２３】
図５は、スライドショーを起動するときＬＣＤ２１に表示される画面を示す模式図である。画像再生装置１が起動された状態でメニューボタン２３が押下されると、画像再生装置１はメインメニュー画面４１をＬＣＤ２１に表示する。ユーザがメインメニュー画面４１において十字キー２４を操作して「スライドショー」を選択し、ＯＫボタン２５を押下して決定すると、画像再生装置１はＬＣＤ２１にメモリ選択画面４２を表示する。ユーザがメモリ選択画面４２において、十字キー２４及びＯＫボタン２５を操作して画像ファイルを読み込む記憶媒体を選択し決定すると、ＯＳ３０はスライドショー要求を受け付け、スライドショー制御部３１を起動する。尚、図例では、記憶媒体はメモリカードが選択されており、以下メモリカードすなわちリムーバブルメモリから画像ファイルを読み込む場合について説明する。
【００２４】
図６はスライドショー制御部３１が実行するスライドショー制御処理のフローチャートである。画像再生装置１は、リムーバブルメモリ１９に記憶されているいずれかの画像を撮影日時等の予め決められた順序でＯＳ３０を介してＲＡＭ１３に読み込む（ステップＳ１００）。次に、画像再生装置１は、入力された画像の全体が表示部１５のＬＣＤ２１に表示されるように、入力された画像をＬＣＤ２１の画像表示領域のサイズに縮小し、縮小した画像をＬＣＤ２１に表示する（ステップＳ１０２）。ここで、画像表示領域とは、ＬＣＤ２１において画像を表示する領域であり、画面全体あるいは画面端部のツールバー等を除いた領域を指す。
【００２５】
図１は、自動巡回スクロールを実行したときＬＣＤ２１に表示される各画面の画面遷移図である。画像再生装置１では、ＬＣＤ２１に入力された画像の全体画像を表示する全体画像画面６１を表示しているとき、メニューボタン２３が押下されると、ＯＳ３０は自動巡回スクロール要求を受け付ける。自動巡回スクロール要求により、自動巡回スクロール部３２が起動され、自動巡回スクロール処理が行われる（ステップＳ１０４、ステップＳ１０６）。ステップＳ１０４において、メニューボタン２３が押下されないときは、ステップＳ１１０に進む。
【００２６】
図７は、入力された画像５０の一例を示す模式図である。ここで、自動巡回スクロールの概要について説明する。自動巡回スクロールとは、入力された画像５０の全体領域を網羅するように複数のサイズが等しい一部領域を設定し、複数の一部領域を巡回しながら一部領域の画像を順次表示していく表示方法である。ここで、一部領域とは、入力された画像５０の全体領域内において設定される矩形の領域である。以下、図例について説明する。まず、入力された画像５０上における一部領域の位置の指定は、全体領域の左上を原点（０，０）とする座標系において行う。図例において、一部領域は各々左上角の点（以下、左上点という。）をＰ１、Ｐ２、Ｐ３、Ｐ４、Ｐ５、Ｐ６、Ｐ７、Ｐ８、Ｐ９（以下、総称してＰｎという。）とし、領域のサイズを縦ｈピクセル、横ｗピクセルとする領域であり、左上点の座標を指定することで一意的に決まる。また、全体領域のサイズは、縦Ｈピクセル、横Ｗピクセルである。画像再生装置１は、一部領域の左上点Ｐｎの座標を更新しながら指定し、図１に示すように、入力された画像５０から左上点Ｐｎにより規定される一部領域により切り取られた画像６２、６３、６４、６５、６６、６７、６８、６９、７０を順次表示していく。
【００２７】
本発明の第一実施例においては、一部領域の数が最小となるように一部領域が重なり合う部分が最小となるように設定する。また、本発明の第一実施例においては、一部領域の巡回の順序は、左上から右方向に移動して端まで達した後、Ｙ軸方向に所定量移動してＸ軸方向は再度左端から移動していくものとする。さらに、本発明の第一実施例においては、入力された画像５０を拡大縮小することなく正確に表示できるように、一部領域のサイズをＬＣＤ２１の画像再生領域のサイズに一致させる。
【００２８】
また、一部領域の画像をＬＣＤ２１に表示するとき、画像再生装置１は、一部領域の画像を表示しているレイヤより上位のレイヤに、図１に示すように、表示している画像の各一部領域の全体領域に対する相対位置を示す案内図形７１を表示する。図１における案内図形７１は、１つのセルが塗りつぶされた表を表している。表の外枠が全体領域に対応し、各セルが複数の一部領域に対応し、塗りつぶされたセルが現在表示されている一部領域に対応する。案内図形７１を表示することにより、ユーザは表示中の一部領域の画像の全体領域に対する相対位置を容易に認識することができる。また、図８に示すように、次に表示する一部領域の現在表示している一部領域に対する相対位置を表す矢印７２を、案内図形７１の代わりに又は案内図形７１とともに、表示してもよい。矢印７２の矢印は、次の一部領域が存在する方向を指すことにより、連続して表示される一部領域の位置関係を容易に認識できるようにしている。
【００２９】
図９は、自動巡回スクロール処理を示すフローチャートである。
まず、画像再生装置１は、重複幅を計算する（ステップＳ２０２）。ここで、重複幅とは、全体領域を網羅するように設定された複数の一部領域が重なり合う領域において、一部領域がＸ方向に移動するときに次の一部領域と重複する領域のＸ方向の幅をＸ方向重複幅とする。また、Ｙ方向に移動するときに次の一部領域と重複する領域のＹ方向の幅をＹ方向重複幅とする。以下、重複幅の算出について説明する。まず、Ｘ方向及びＹ方向の一部領域の配列数を計算する。Ｘ方向の一部領域の配列数ｐは、Ｗ／ｗにおいて小数点以下を切り上げた値である。また、Ｙ方向の一部領域の配列数ｑは、Ｈ／ｈにおいて小数点以下を切り上げた値である。この配列数ｐおよびｑにより、Ｘ方向重複幅ｓは（ｗｐ−Ｗ）／（ｐ−１）、Ｙ方向重複幅ｔは（ｈｑ−Ｈ）／（ｑ−１）となる。
【００３０】
次に、画像再生装置１は、一部領域の左上点Ｐｎの座標を初期化して（０，０）とし（ステップＳ２０４）、左上点Ｐｎにより規定される一部領域の画像をＬＣＤ２１に表示する（ステップＳ２０５）。ここで、後述するスキップ要求、拡大要求、クリップ要求が発生しなかった場合は、ステップＳ２４２に進む。
次に、ステップＳ２４２において、一部領域の左上点ＰｎのＸ座標を更新する。ここで、左上点Ｐｎにより規定される一部領域の次の一部領域の左上点のＸ座標は、左上点ＰｎのＸ座標Ｘを用いると、Ｘ＋ｗ−ｓとなる（ステップＳ２４２）。更新結果によりＸ座標が右端を超えている、すなわちＸ座標の値がＷを超えていたら右端に達したと判定し（ステップＳ２４４）、Ｘ座標を初期化して０とし、次の一部領域の左上点のＹ座標を更新する。ここで、左上点Ｐｎにより規定される一部領域の次の一部領域の左上点のＹ座標は、ＰｎのＹ座標Ｙを用いると、Ｙ＋ｈ−ｔとなる（ステップＳ２４６）。また、更新結果によりＹ座標が下端を越えている、すなわちＹ座標の値がＨを超えていたら自動巡回スクロールは終了と判定し（ステップＳ２４８）、自動巡回スクロール処理を終了する。終了と判定されない場合は、ステップＳ２０５に戻って更新した左上点により規定される一部領域の画像をＬＣＤ２１に表示する。
【００３１】
自動巡回スクロール処理が終了すると、画像再生装置１は、スライドショー処理のステップＳ１０８において、入力された画像をＬＣＤ２１の画像表示領域のサイズに縮小した画像を、ＬＣＤ２１に表示する。スライドショー処理は、処理中にＣＡＮＣＥＬボタン２６が押下されるか、表示対象の全ての画像の表示が完了するまで、順次画像ファイルを読み込んで、ステップＳ１００からの処理を繰り返す（ステップＳ１１０）。
【００３２】
図１０は、自動巡回スクロール中にスキップ要求を受け付けたときの画面遷移図である。自動巡回スクロール処理中に、操作部１６において十字キー２４が上方向もしくは下方向に押下されると、画像再生装置１は上へのスキップ要求もしくは下へのスキップ要求を受け付ける（ステップＳ２０６）。ここで、上とは画像の座標系においてＹの座標値が減少する方向、下とはＹの座標値が増加する方向である。画像再生装置１では、下へのスキップ要求を受け付けると（ステップＳ２０７）、表示している一部領域のすぐ下の一部領域の画像が表示できるように一部領域の左上点のＹ座標を更新する。ここで、左上点Ｐｎにより規定される一部領域のすぐ下の一部領域の左上点のＹ座標は、ＰｎのＹ座標Ｙを用いると、Ｙ＋ｈ−ｔとなる（ステップＳ２２０）。また、上へのスキップ要求を受け付けると、表示している一部領域のすぐ上の一部領域の画像が表示できるように一部領域の左上点のＹ座標を更新する。ここで、左上点Ｐｎにより規定される一部領域のすぐ上の一部領域の左上点のＹ座標は、ＰｎのＹ座標Ｙを用いると、Ｙ−ｈ＋ｔとなる（ステップＳ２１０）。また、Ｙ座標の更新結果が下端を超えている、すなわちＹ座標がＨを超えているときは下端に達したと判定し（ステップＳ２２２）、Ｙ座標を０に初期化する（ステップＳ２２４）ことにより下端から上端へのスクロールが可能となる。また、Ｙ座標の更新結果が上端を超えている、すなわちＹ座標が負の値なっているときは上端に達したと判定し（ステップＳ２１２）、Ｙ座標にＨ−ｈを設定する（ステップＳ２１４）ことにより上端から下端へのスクロールが可能となる。図例において具体的に説明すると、画像再生装置１は、一部領域の画像６６を表示しているときに十字キー２４が下方向に押されると、画像６９にスキップし、再度十字キー２４が下方向に押されると、上端にスクロールして画像６３を表示する。
【００３３】
画像再生装置１は、自動巡回スクロール中にＯＫボタン２５が押下されると拡大要求を受け付け（ステップＳ２３０）、拡大部３４を起動する。拡大部３４による拡大処理は、左上点Ｐｎにより規定される一部領域の画像を拡大し、画像再生装置１は、ＬＣＤ２１の画像表示領域のサイズに収まる中央部の画像をＬＣＤ２１に表示する（ステップＳ２３２）。
【００３４】
図１１は、クリップ処理を示すフローチャート、図１２は、クリップ処理を行うときにＬＣＤ２１に表示される各画面の画面遷移図である。自動巡回スクロール処理において、自動巡回スクロール中にメニューボタン２３が押下されると、画像再生装置１はクリップ要求を受け付け（ステップＳ２３４）、クリップ部３３を起動し、クリップ処理を行う（ステップＳ２３６）。
【００３５】
以下、クリップ処理について説明する。自動巡回スクロール中にメニューボタン２３が押下されると、画像再生装置１は、ＬＣＤ２１に表示されている画像の一部領域がクリップ指定されたと判定する（ステップＳ３００）。このとき画像再生装置１は、ＬＣＤ２１にクリップ指定された一部領域の画像を表示し、その上位のレイヤにクリップされた旨を表示する。次に、クリップ指定された一部領域の左上点の座標をＲＡＭ１３に記憶する（ステップＳ３０２）。図例において、クリップ指定された画像は画像６３及び画像７０であり、ＲＡＭ１３に記憶される一部領域の左上点の座標は画像６３及び画像７０の一部領域の左上点であるＰ２およびＰ９（図７参照）の座標である。自動巡回スクロール中にメニューボタン２３が予め設定された短時間内に２度押下されると、画像再生装置１はクリップ完了と判定する（ステップＳ３０４）。画像再生装置１は、ＲＡＭ１３に記憶されているクリップ指定された一部領域の左上点の座標と一部領域のサイズに基づいて、クリップ指定された一部領域の全てを含む最小矩形の領域を算出する（ステップＳ３０６）。次に、算出された領域の画像８０をクリップし（ステップＳ３０７）、クリップした画像８０をＬＣＤ２１に表示する（ステップＳ３０８）。図例においては、入力された画像５０上で画像６３と画像７０を含む最小矩形の領域がクリップされる。クリップした画像８０を表示しているとき、ＯＫボタン２５が押下されると、記憶要求と判定し（ステップＳ３１０）、クリップした画像を元画像に置き換えてリムーバブルメモリ１９に記憶する。尚、クリップした画像は元画像と置き換えずに、別途記憶してもよいし、元画像に関連付けて記憶してもよい。
【００３６】
以上のように、本発明の第一実施例に係る画像再生装置によれば、画像の一部領域を画面の画像表示領域の全体に表示することにより、画像の細部を確認することができる。また、一部領域が画像の全体領域を巡回するように一部領域を自動設定することにより、画像全体について細部を確認することが容易になる。
また、一部領域が互いに重なり合う領域を最小化することにより、画像全体を表示するために必要な時間を短縮することができる。
【００３７】
さらに、一部領域の画像を表示中に十字キー２４を上方向もしくは下方向に押下することにより、一部領域の上下方向への移動を可能としたため、すばやく所望の一部領域の画像を表示することができる。
さらに、一部領域の画像を表示しているときに、画像の拡大要求の受け付けも可能としたため、画像の細部を詳細に確認することができる。
【００３８】
さらに、表示されている一部領域の全体領域に対する相対位置を画像の一部領域と合成表示することにより、表示中の一部領域の画像の全体領域に対する相対位置を容易に確認することができる。
さらに、表示されている一部領域の次の一部領域について表示されている一部領域に対する相対位置を示すグラフィック表示を表示することにより、連続して表示される一部領域の位置関係を容易に認識することができる。
さらに、一部領域が画像全体を巡回しているときにクリップ範囲の設定操作を受け付けることにより、画像のクリップを容易に行うことができる。
【００３９】
（第二実施例）
第二実施例による画像再生装置１では、ユーザにより自動巡回スクロール要求が入力されなくても、スライドショーにおいて入力された画像５０の全体領域の画像を表示した後、一部領域の画像を順次表示する。また、自動巡回スクロールにおいて一部領域の画像を表示しているとき、画像の重点領域を含む一部領域へのスキップを可能とする。尚、第二実施例では第一実施例と実質的に同一な部分については同一の符号を付して説明を省略する。
【００４０】
図１３は、本発明の第二実施例に係るスライドショー制御部３１が実行するスライドショー制御処理のフローチャートである。画像再生装置１は、リムーバブルメモリ１９に記憶されているいずれかの画像を撮影日時等の予め決められた順序でＯＳ３０を介してＲＡＭ１３に読み込む（ステップＳ１００）。次に、画像再生装置１は、入力された画像の全体が表示部１５のＬＣＤ２１に表示されるように、入力された画像をＬＣＤ２１の画像表示領域のサイズに縮小し、縮小した画像をＬＣＤ２１に表示する（ステップＳ１０２）。次に、画像再生装置１は、自動巡回スクロール部３２を起動し、自動巡回スクロール処理を行う（ステップＳ１０６）。自動巡回スクロール処理が終了すると、スライドショー処理のステップＳ１０８において、画像再生装置１は入力された画像５０をＬＣＤ２１の画像表示領域のサイズに縮小した画像をＬＣＤ２１に表示する。スライドショー処理では、ＣＡＮＣＥＬボタン２６が押下されるか、表示対象の全ての画像の表示が完了するまで、順次画像ファイルを読み込んで、ステップＳ１００からの処理を繰り返す（ステップＳ１１０）。
【００４１】
図１４は、本発明の第二実施例に係る自動巡回スクロール処理を示すフローチャート、図１５は、自動巡回スクロール中に重点領域スキップ要求を受け付けたときの画面遷移図である。ここで、重点領域とは、画像を撮影したときにピントを合わせた箇所等であり、付属情報として画像データ等と共に画像ファイルに記憶されている。自動巡回スクロール処理中に（例えば、一部領域の画像６３を表示しているときに）、操作部１６の十字キー２４が右方向に押下されると、画像再生装置１は重点領域スキップ要求を受け付ける（ステップＳ２６０）。画像再生装置１では、画像の重点領域を現在表示している画像ファイルから読み取り（ステップＳ２５０）、重点領域の中心を中心とし、サイズはＬＣＤ２１の画像表示領域のサイズと同じ領域を算出する（ステップＳ２５２）。次に、算出した領域の画像７５をＬＣＤ２１に表示する（ステップＳ２５４）。図例においては重点領域がハッチングによって表示されているが、表示しなくてもよい。
【００４２】
以上のように、本発明の第二実施例に係る画像再生装置によれば、入力された複数の画像のいずれかを順次選択し、その各々について、入力された画像の全体を表示した後、自動的に画像の一部領域を順次表示することにより、画像全体と細部の確認を容易に行うことができる。
また、重点領域へのスキップを可能とすることにより、撮影された画像において最も確認したい画像をすばやく画面に表示することができる。
【図面の簡単な説明】
【００４３】
【図１】本発明の第一実施例に係る自動巡回スクロール実行時の画面遷移図。
【図２】本発明の第一実施例に係る画像再生装置のハードウェア構成を示すブロック図。
【図３】画像再生装置の外形を示す模式図。
【図４】本発明の第一実施例に係る画像再生プログラムの論理的な構成を示すブロック図。
【図５】本発明の第一実施例に係るスライドショー起動時の画面遷移図。
【図６】本発明の第一実施例に係るスライドショー制御処理を示すフローチャート。
【図７】本発明の第一実施例に係る入力された画像における全体領域及び一部領域を示す模式図。
【図８】本発明の第一実施例に係る自動巡回スクロール実行時の画面遷移図。
【図９】本発明の第一実施例に係る自動巡回スクロール処理を示すフローチャート。
【図１０】本発明の第一実施例に係るスキップ要求受け付け時の画面遷移図。
【図１１】本発明の第一実施例に係るクリップ処理を示すフローチャート。
【図１２】本発明の第一実施例に係るクリッピング時の画面遷移図。
【図１３】本発明の第二実施例に係るスライドショー制御処理を示すフローチャート。
【図１４】本発明の第二実施例に係る自動巡回スクロール処理を示すフローチャート。
【図１５】本発明の第二実施例に係る重点領域スキップ要求受け付け時の画面遷移図。
【符号の説明】
【００４４】
１５  表示部、２１  ＬＣＤ（表示部）、１８  リムーバブルメモリコントローラ（入力手段）、２３メニューボタン（第三操作手段）、２４  十字キー（第一操作手段）、２５  ＯＫボタン（第二操作手段）、２７  インタフェースコネクタ（入力手段）、３０  ＯＳ（入力手段、表示制御手段、第一操作手段、第二操作手段、第三操作手段）、３１  スライドショー制御部（表示制御手段）、３２  自動巡回スクロール部（表示制御手段）、３３  クリップ部（クリップ手段）、３４  拡大手部（表示制御手段）、５０  入力された画像
【図１】
2005269362.tif 000003
【図２】
2005269362.tif 000004
【図３】
2005269362.tif 000005
【図４】
2005269362.tif 000006
【図５】
2005269362.tif 000007
【図６】
2005269362.tif 000008
【図７】
2005269362.tif 000009
【図８】
2005269362.tif 000010
【図９】
2005269362.tif 000011
【図１０】
2005269362.tif 000012
【図１１】
2005269362.tif 000013
【図１２】
2005269362.tif 000014
【図１３】
2005269362.tif 000015
【図１４】
2005269362.tif 000016
【図１５】
2005269362.tif 000017